(57)【要約】【課題】防寒具としての保温機能を保ちながら、携帯に便利な大きさに変形して持ち運ぶことができる防寒用マフラーを提供する。【解決手段】防寒用マフラー１を、収納袋６に対して収納可能な収納サイズに変形した後、収納袋６の口部６ａを、防寒用マフラー１の収納が許容される大きさに拡張して、防寒用マフラー１を収納袋６に収納する。また、防寒用マフラー１を収納サイズに変形しながら、マフラー本体２に設けた収納袋６を表裏が逆向きとなる状態に反転して、防寒用マフラー１を収納袋６に収納する。また、収納袋６の口部６ａを拡張するか、マフラー本体２に設けた収納袋６を表裏が逆向きとなる状態に反転する等して、防寒用マフラー１を収納袋６から取り出す。【選択図】  図５
2006063472.tif 000002
【特許請求の範囲】
【請求項１】
ダウンプルーフ加工した布地で袋状に縫製されたマフラー本体の内部に、保温に必要な量の羽毛を略均等に詰め込んで構成した
防寒用マフラー。
【請求項２】
上記マフラー本体の布地を、略１５デニールから略３０デニールの範囲に含まれる太さの糸で構成した
請求項１に記載の防寒用マフラー。
【請求項３】
上記マフラー本体に詰め込まれる羽毛の詰め込み量を略２０グラムに設定した
請求項１又は２に記載の防寒用マフラー。
【請求項４】
上記マフラー本体の布地をキルティング加工した
請求項１，２又は３に記載の防寒用マフラー。
【請求項５】
上記防寒用マフラーが所望の収納サイズに変形して収納される収納袋を備えた
請求項１から３又は４に記載の防寒用マフラー。
【請求項６】
上記収納袋を、上記マフラー本体に対して一体的に設けた
請求項５に記載の防寒用マフラー。
【請求項７】
上記収納部に設けた口部を、上記防寒用マフラーの出し入れが許容される大きさに伸縮自在に設けた
請求項５又は６に記載の防寒用マフラー。
【発明の詳細な説明】
【技術分野】
【０００１】
この発明は、例えば衣服のポケットやカバン、バック等に入れて携帯することができる防寒用マフラーに関する。
【背景技術】
【０００２】
従来、上述例のマフラーとしては、例えば２枚のストール本体の間にシート状の綿を入れ、シート状の綿が２枚のストール本体の中に挟まれた状態で、ストール本体に対していずれか１箇所以上の縫い代で固定した特許文献１の綿入りストールがある。
【０００３】
しかし、２枚のストール本体の間に挟み込まれる綿の肉厚を厚くすると、保温性を高めることができるが、柔軟性が悪くなり、嵩張るため、携帯に便利な大きさに折畳むことが困難である。また、綿は、羽毛に比べて復元性が悪く、折畳んだり、巻回するたびに圧縮され、徐々に硬くなるため、柔らかな肌触り感が得られなくなる。また、綿の肉厚を薄くすると、小さく折畳むことが可能であるが、保温性が低下するため、防寒具としての保温機能が充分に得られなくなる。
【０００４】
【特許文献１】実開平５−６９１１４号公報
【発明の開示】
【発明が解決しようとする課題】
【０００５】
この発明は上記問題に鑑み、ダウンプルーフ加工した布地で袋状に縫製されたマフラー本体の内部に、保温に必要な量の羽毛を略均等に詰め込んで構成することにより、防寒具としての保温機能を保ちながら、携帯に便利な大きさに変形して持ち運ぶことができる防寒用マフラーの提供を目的とする。
【課題を解決するための手段】
【０００６】
請求項１に記載した発明の防寒用マフラーは、ダウンプルーフ加工した布地で袋状に縫製されたマフラー本体の内部に、保温に必要な量の羽毛を略均等に詰め込んで構成したことを特徴とする。
【０００７】
上述の布地は、例えば略１５デニールから略３０デニールの範囲に含まれる太さの糸で構成することができる。また、布地を織る場合、例えば平織りや綾織、朱子織、サテン織、その他の織り方等で織ることができる。
【０００８】
また、羽毛は、例えばダウン、フェザーの少なくとも１つで構成するか、ダウン、フェザー、ファイバーの複数を所望する混合率に混ぜ合わせて構成することができる。また、収納袋に対して収納可能な大きさに変形することが可能であれば、羽毛の代わりに、例えば羽毛のような特性を有する化学繊維の綿、天然繊維の綿やシルク等を詰め込むこともできる。
【０００９】
また、ダウンプルーフ加工は、例えば布地全体を加熱しながら一対のローラで加圧して、布地を構成する糸の間の小さな穴や隙間を押し潰して、糸の間に形成される小さな穴や隙間から羽毛が吹き出したり、抜け出したりするのを防止する方法である。また、ウォータープルーフ加工を布地に施すこともできる。
【００１０】
つまり、防寒用マフラーを、例えば折畳む又は巻回、折り曲げ、押し縮める等して、所望する収納サイズ又は携帯に便利な大きさに変形した後、例えば衣服のポケットやカバン、バック等に入れて携帯するか、後述する収納袋に収納して携帯する。
【００１１】
請求項２に記載した発明の防寒用マフラーは、上記請求項１に記載の構成と併せて、上記マフラー本体の布地を、略１５デニールから略３０デニールの範囲に含まれる太さの糸で構成したことを特徴とする。つまり、防寒用マフラーを、収納袋に対して収納可能な大きさに変形するためには、布地を構成する糸の太さ（デニール）を、例えば略１５デニールから略３０デニールの範囲に含まれる太さに設定するのが好ましい。また、糸の他の例として、例えば化学繊維や天然繊維等の素材で撚糸した糸を用いることもできる。
【００１２】
請求項３に記載した発明の防寒用マフラーは、上記請求項１又は２に記載の構成と併せて、上記マフラー本体に詰め込まれる羽毛の詰め込み量を略２０グラムに設定したことを特徴とする。つまり、防寒具としての保温機能を保ちながら、携帯に便利な大きさに変形するためには、羽毛の詰め込み量が少ないと、保温性が低下する。羽毛の詰め込み量が多いと、後述する収納袋に対して収納可能な大きさに変形することが難しくなるため、羽毛の詰め込み量を略２０グラムに設定するのが好ましい。
【００１３】
請求項４に記載した発明の防寒用マフラーは、上記請求項１，２又は３に記載の構成と併せて、上記マフラー本体の布地をキルティング加工したことを特徴とする。つまり、キルティング加工により隔離されたマフラー本体の各空間部に羽毛を保持するので、防寒用マフラーを、収納袋に対して収納可能な大きさに変形するも、羽毛の偏りや移動等が防止され、柔らかさを一定に保つことができる。
【００１４】
請求項５に記載した発明の防寒用マフラーは、上記請求項１から３又は４に記載の構成と併せて、上記防寒用マフラーが所望の収納サイズに変形して収納される収納袋を備えたことを特徴とする。つまり、防寒用マフラーを、例えば折畳む又は巻回、折り曲げ、押し縮める等して収納袋に収納すれば、例えば衣服のポケットやカバン、バック等に入れて持ち運ぶことができる。
【００１５】
請求項６に記載した発明の防寒用マフラーは、上記請求項５に記載の構成と併せて、上記収納袋を、上記マフラー本体に対して一体的に設けたことを特徴とする。つまり、防寒用マフラーを、収納袋に対して収納可能な大きさに変形し、マフラー本体に設けた収納袋を表裏が逆向きとなる状態に反転して、防寒用マフラーを収納袋に収納するので、一体的に取り扱うことができる。
【００１６】
請求項７に記載した発明の防寒用マフラーは、上記請求項５又は６に記載の構成と併せて、上記収納部に設けた口部を、上記防寒用マフラーの出し入れが許容される大きさに伸縮自在に設けたことを特徴とする。つまり、収納袋の口部を拡張して、防寒用マフラーの収納を許容し、収納袋の口部を収縮して、防寒用マフラーの収納状態を保持する。また、口部を閉塞する方法として、実施例では、収納袋に設けた口部の対向縁部を上下互い違いとなるように重ね合わせて閉塞するが、例えばチャックや面ファスナー、マグネット、ホック、紐等の固定手段で閉塞することもできる。
【発明の効果】
【００１７】
この発明によれば、防寒用マフラーのマフラー本体をダウンプルーフ加工した布地で構成し、保温に必要な量の羽毛をマフラー本体に詰め込んで構成するため、柔軟性が良く、嵩張らないため、防寒具としての保温機能を保ちながら、携帯に便利な大きさに変形して持ち運ぶことができる。また、防寒用マフラーの変形を何回繰り返しても、羽毛の復元性及び柔軟性が損なわれず、使用時において、柔らかな肌触り感が得られる。また、防寒用マフラーを、マフラー本体に設けた収納袋に収納すれば、防寒用マフラーを収納袋から取り出したとき、収納袋を紛失するか、置き忘れるのを防止することができ、一体的に取り扱うことができる。
【発明を実施するための最良の形態】
【００１８】
この発明は、防寒具としての保温機能を保ちながら、携帯に便利な大きさに変形して持ち運ぶことができるという目的を、ダウンプルーフ加工した布地で袋状に縫製されたマフラー本体の内部に、保温に必要な量の羽毛を略均等に詰め込んで構成することで達成した。
【実施例】
【００１９】
この発明の一実施例を以下図面に基づいて詳述する。
【００２０】
図面は、防寒具としての保温機能を保ちながら、携帯に便利な大きさに変形して持ち運ぶことができる防寒用マフラーを示し、図１及び図２に於いて、この防寒用マフラー１は、ダウンプルーフ加工した布地３，３及び縁布４で袋状に縫製されたマフラー本体２の内部に、羽毛の一例であるダウン５を保温に必要な量だけ略均等に詰め込んで構成している。
【００２１】
且つ、所望の収納サイズに変形した防寒用マフラー１が収納される収納袋６を、マフラー本体２を構成する布地３の一端側に縫い付けている。また、マフラー本体２に対して独立又は分離された状態に設けてもよい。或いは、収納袋６を、縁布４の一側縁部に縫い付けてもよい。
【００２２】
実施例では、防寒用マフラー１の幅を略２０ｃｍに設定し、長さを略１５０ｃｍに設定しているが、幅を略２０ｃｍ以下又は以上に変更するか、長さを略１５０ｃｍ以下又は以上に変更することも可能である。
【００２３】
上述のマフラー本体２は、帯状に形成した２枚の布地３，３を互いに重ね合わせて、帯状に形成した縁布４を、布地３，３の外周縁部に沿って被覆した後、その縁布４を、布地３，３の外周縁部に対して一体的に縫い付けて袋状に縫製している。また、１枚の布地で袋状に縫製してもよい。
【００２４】
且つ、布地３，３及び縁布４で囲繞されたマフラー本体２の内部には、羽毛の一例である略２０グラムのダウン５を略均等に詰め込んでいる。また、ダウン５を、布地３，３の対向面間に敷き詰めてから袋状に縫製することも可能である。
【００２５】
また、ダウン５の詰め込み量（グラム）を、例えば略２０グラム以下又は以上に変更することも可能であるが、ダウン５の詰め込み量が少ないと、保温性が低下し、ダウン５の詰め込み量が多くなると、マフラー本体２の肉厚が厚くなり、後述する収納袋６に対して収納可能な大きさに変形することが難しくなるため、ダウン５の詰め込み量を略２０グラムに設定するのが好ましい。
【００２６】
且つ、布地３，３は、マフラー本体２の内部に詰め込まれたダウン５の偏りや移動等を防止し、柔らかさを一定に保つため格子状にキルティング加工して、そのキルティング加工により隔離されたマフラー本体２の各空間部にダウン５を保持している。
【００２７】
上述のキルティング加工は、例えば布地３，３の対向面を糸で縫い付け固定して、縫目２ａを布地３，３の幅方向に形成すると共に、布地３，３の長さ方向に対して所定間隔に隔てて複数条形成している。一方、縫目２ｂ，２ｂを布地３，３の長さ方向に形成すると共に、布地３，３の幅方向に対して所定間隔に隔てて形成している。また、所望する模様や図柄等にキルティング加工してもよい。
【００２８】
前述の布地３，４は、例えば略１５デニールから略３０デニールの範囲に含まれる太さの糸を用いて平織りしている。また、布地３，４の他の織り方として、例えば綾織や朱子織、サテン織、その他の織り方等で織ることもできる。また、糸の太さを、略１５デニール以下又は略３０デニール以上に変更することも可能である。
【００２９】
且つ、布地３，４は、糸の小さな穴や隙間からダウン５が吹き出したり、抜け出したりするのを防止するためダウンプルーフ加工している。そのダウンプルーフ加工は、例えば布地全体を、高温の蒸気等で加熱しながら一対のローラで加圧して、糸の間の小さな穴や隙間を押し潰す方法である。また、ウォータープルーフ加工を布地に施してもよい。
【００３０】
前述の収納袋６は、上述のダウンプルーフ加工した布地３，４と略同一の繊維素材で袋状に縫製され、所望の収納サイズに変形した防寒用マフラー１の収納が可能な大きさに形成している。また、収納袋６に設けた口部６ａは、例えば帯状や線条のゴムを縫い込むか、口部の周縁部に沿ってゴムを入れる等して、防寒用マフラー１の出し入れが許容される大きさに伸縮自在に設け、口部６ａの開口又は拡張を解除すると、上下互い違いとなるように重ね合わされた閉塞状態に収縮する。また、口部６ａを閉塞する他の方法として、例えばチャックや面ファスナー、マグネット、ホック、紐等の固定手段で閉塞することもできる。
【００３１】
図示実施例は上記の如く構成するものにして、以下、防寒用マフラー１を、収納袋６に収納する手順及び取り出す手順を説明する。
【００３２】
先ず、防寒用マフラー１を、独立した収納袋６に収納する場合、図３に示すように、防寒用マフラー１を長さ方向に対して一端側から順に折畳む。或いは、図４に示すように、防寒用マフラー１を長さ方向に対して一端側から順にロール状に巻回する。また、防寒用マフラー１を長さ方向に対して二つ折り、四つ折り、八つ折り等の順に折畳んでもよい。
【００３３】
次に、図５に示すように、所望の収納サイズに変形した防寒用マフラー１を幅方向に対して二つ折り状態に折畳んだ後、或いは、巻回又は折曲げ、押し縮めた後、収納袋６の口部６ａを、その口部６ａの収縮力に抗して、防寒用マフラー１の収納が許容される大きさに拡張し、図６に示すように、所望の収納サイズに変形した防寒用マフラー１を、折畳んだまま或いは押し縮めたまま収納袋６に収納する。
【００３４】
また、図７に示すように、所望の収納サイズに変形した防寒用マフラー１を、二つ折り状態に折畳むことなく収納袋６に収納することも可能である。或いは、防寒用マフラー１を、例えば衣服のポケットやカバン、バック等に直接収納することもできる。
【００３５】
次に、防寒用マフラー１を、マフラー本体２に設けた収納袋６に収納する場合、図８に示すように、所望の収納サイズに変形した図３又は図４の防寒用マフラー１の両端を内側に折畳む又は巻回、折り曲げ、押し縮める等して変形しながら、マフラー本体２に設けた収納袋６の口部６ａを、その口部６ａの収縮力に抗して、防寒用マフラー１の収納が許容される大きさに拡張する。
【００３６】
且つ、防寒用マフラー１を、収納袋６に対して収納される大きさに押し縮めながら、収納袋６を、表面側が内向き、裏面側が外向きとなる状態に裏返して、所望の収納サイズに変形された防寒用マフラー１の外側に被覆するので、防寒用マフラー１を、マフラー本体２に設けた収納袋６に収納することができる。
【００３７】
次に、防寒用マフラー１を使用する場合、図５に示す手順を逆に実行して、独立した収納袋６の口部６ａを、防寒用マフラー１の取り出しが許容される大きさに強制的に拡張するか、図８に示す手順を逆に実行して、マフラー本体２に設けた収納袋６を、裏面側が内向き、表面側が外向きとなる状態に反転する等して、防寒用マフラー１を収納袋６から取り出して使用する。
【００３８】
以上のように、防寒用マフラー１のマフラー本体２をダウンプルーフ加工した布地３，４で構成し、保温に必要な量のダウン５をマフラー本体２に詰め込んで構成するため、柔軟性が良く、嵩張らないため、防寒具としての保温機能を保ちながら、携帯に便利な大きさに変形して、例えば衣服のポケットやカバン、バック等に入れて携帯するか、収納袋５に収納する等して持ち運ぶことができる。
【００３９】
また、防寒用マフラー１の変形を何回繰り返しても、ダウン５の復元性及び柔軟性が損なわれず、使用時において、柔らかな肌触り感が得られる。
【００４０】
また、防寒用マフラー１を、マフラー本体２に設けた収納袋６に収納すれば、防寒用マフラー１を収納袋６から取り出したとき、収納袋６を紛失するか、置き忘れるのを防止することができ、一体的に取り扱うことができる。
【００４１】
この発明の構成と、上述の実施例との対応において、  
この発明の羽毛は、実施例のダウン５に対応するも、  
この発明は、上述の実施例の構成のみに限定されるものではない。
【００４２】
実施例では、ダウン５を、マフラー本体２に詰め込んだ例を説明したが、例えばダウン、フェザーの少なくとも１つ又はダウン、フェザー、ファイバーの複数を所望する混合率に混ぜ合わせて詰め込んでもよい。また、防寒用マフラー１を、収納袋６に対して収納可能な大きさに変形することが可能であれば、ダウン５の代わりに、例えば羽毛のような特性を有する化学繊維製の綿を詰め込んでもよい。
【産業上の利用可能性】
【００４３】
本発明の防寒用マフラーの構成は、例えばストールや襟巻き等の防寒具にも利用することができる。
【図面の簡単な説明】
【００４４】
【図１】防寒用マフラーの展開状態を示す斜視図。
【図２】羽毛の充填状態を示す防寒用マフラーを示す断面図。
【図３】防寒用マフラーの折畳み状態を示す斜視図。
【図４】防寒用マフラーの巻回状態を示す斜視図。
【図５】防寒用マフラーを独立する収納袋に収納する方法を示す説明図。
【図６】防寒用マフラーを二つ折りして収納した例を示す断面図。
【図７】防寒用マフラーを二つ折りせずに収納した他の例を示す断面図。
【図８】防寒用マフラーに設けた収納袋に収納する方法を示す説明図。
【符号の説明】
【００４５】
１…防寒用マフラー
２…マフラー本体
２ａ，２ｂ…縫目
３…布地
４…縁布
５…ダウン
６…収納袋
６ａ…口部
【図１】
2006063472.tif 000003
【図２】
2006063472.tif 000004
【図３】
2006063472.tif 000005
【図４】
2006063472.tif 000006
【図５】
2006063472.tif 000007
【図６】
2006063472.tif 000008
【図７】
2006063472.tif 000009
【図８】
2006063472.tif 000010